(57)【特許請求の範囲】
【請求項１】
複数の端子ピンとリブを有する雄型端子構造の第１のプラグコネクタ及び複数の端子穴とリブを有する雌型端子構造の第２のプラグコネクタを備えた外部機器を機器本体に着脱自在に取り付け可能な電子機器であって、
前記機器本体は、複数の端子穴を有する雌型端子構造の第１のコネクタと、前記第１のコネクタと隣接して設けられ、複数の端子ピンを有する雄型端子構造の第２のコネクタとを備え、
前記第１のプラグコネクタのリブが前記第１のコネクタの凹部と嵌合することで前記第１のプラグコネクタと前記第１のコネクタとが相対的に位置決めされるとともに、前記第１のプラグコネクタの複数の端子ピンが前記第１のコネクタの複数の端子穴に挿入されることで前記第１のプラグコネクタと前記第１のコネクタとが電気的に接続され、
前記第２のプラグコネクタのリブが前記第２のコネクタの凹部と嵌合することで前記第２のプラグコネクタと前記第２のコネクタとが相対的に位置決めされるとともに、前記２のプラグコネクタの複数の端子穴に前記第２のコネクタの複数の端子ピンが挿入されることで前記第２のプラグコネクタと前記第２のコネクタとが電気的に接続されることを特徴とする電子機器。
【請求項２】
前記機器本体は、前記第１のコネクタに前記第１のプラグコネクタが接続されたか否かを判断する判断手段と、
前記判断手段により前記第１のコネクタに前記第１のプラグコネクタが接続されたと判断された場合に、前記第２のコネクタ及び前記第２のプラグコネクタを介して前記外部機器に給電する給電手段と、を備えることを特徴とする請求項１に記載の電子機器。
【請求項３】
前記判断手段は、前記第１のプラグコネクタ及び前記第１のコネクタを介して前記外部機器の記憶手段に記憶されたデータの読み込みができた場合に、前記第１のコネクタに前記第１のプラグコネクタが接続されたと判断する、ことを特徴とする請求項２に記載の電子機器。
【発明の詳細な説明】
【技術分野】
【０００１】
本発明は、機器本体に外部機器とのコネクタ接続部が複数設けられるデジタルビデオカメラ等の電子機器に関する。
【背景技術】
【０００２】
従来のコネクタ接続構造として、一方のコネクタの凸部及び凹部に他方のコネクタの凹部及び凸部を嵌合させて、外周側に設けた固定ネジ部によりコネクタ同士を接続した状態で固定する技術が提案されている（特許文献１）。
【先行技術文献】
【特許文献】
【０００３】
【特許文献１】特許第３００４３４７号公報
【発明の概要】
【発明が解決しようとする課題】
【０００４】
しかし、上記特許文献１では、デジタルビデオカメラ等の電子機器の機器本体に複数のコネクタを隣接配置し、これらのコネクタに外部機器側の複数のコネクタを接続する場合、機器本体側のコネクタに対して外部機器側のコネクタを誤挿入するおそれがある。
【０００５】
そこで、本発明は、機器本体に設けられた複数のコネクタに対する外部機器側のコネクタの誤挿入を防止する仕組みを提供することを目的とする。
【課題を解決するための手段】
【０００６】
上記目的を達成するために、本発明の電子機器は、複数の端子ピンとリブを有する雄型端子構造の第１のプラグコネクタ及び複数の端子穴とリブを有する雌型端子構造の第２のプラグコネクタを備えた外部機器を機器本体に着脱自在に取り付け可能な電子機器であって、前記機器本体は、複数の端子穴を有する雌型端子構造の第１のコネクタと、前記第１のコネクタと隣接して設けられ、複数の端子ピンを有する雄型端子構造の第２のコネクタとを備え、前記第１のプラグコネクタのリブが前記第１のコネクタの凹部と嵌合することで前記第１のプラグコネクタと前記第１のコネクタとが相対的に位置決めされるとともに、前記第１のプラグコネクタの複数の端子ピンが前記第１のコネクタの複数の端子穴に挿入されることで前記第１のプラグコネクタと前記第１のコネクタとが電気的に接続され、前記第２のプラグコネクタのリブが前記第２のコネクタの凹部と嵌合することで前記第２のプラグコネクタと前記第２のコネクタとが相対的に位置決めされるとともに、前記２のプラグコネクタの複数の端子穴に前記第２のコネクタの複数の端子ピンが挿入されることで前記第２のプラグコネクタと前記第２のコネクタとが電気的に接続されることを特徴とする。
【発明の効果】
【０００７】
本発明によれば、機器本体に設けられた複数のコネクタに対して外部機器側のコネクタを誤挿入するのを防止することができる。
【図面の簡単な説明】
【０００８】
【図１】本発明の電子機器の実施形態の一例であるデジタルビデオカメラを背面側から見た斜視図である。
【図２】カメラ本体におけるＬジャックコネクタ及びＲジャックコネクタの配置部分の斜視図である。
【図３】ＬプラグコネクタとＲプラグコネクタの詳細を示す斜視図である。
【図４】カメラ本体と外部機器とを信号ケーブルを介して接続した状態での電気系の構成例を示すブロック図である。
【図５】カメラ本体から外部機器に給電する処理を説明するためのフローチャート図である。
【発明を実施するための形態】
【０００９】
以下、本発明の実施形態の一例を図面を参照して説明する。
【００１０】
図１は、本発明の電子機器の実施形態の一例であるデジタルビデオカメラを背面側から見た斜視図である。
【００１１】
本実施形態のデジタルビデオカメラは、図１に示すように、カメラ本体１０１の前端側には、レンズユニット１０２が設けられ、カメラ本体１０１の上部には、ハンドルユニット１０３が装着されている。ハンドルユニット１０３には、外部機器１０４が着脱可能に装着される装着部１０５が設けられている。ここで、カメラ本体１０１は、本発明の機器本体の一例に相当する。
【００１２】
外部機器１０４には、ＬＣＤパネル等の表示装置１０６、操作スイッチ１０７、及び音声入力コネクタ１０８が設けられている。表示装置１０６は、カメラ本体１０１から送られてくる映像信号や各設定情報を表示する。操作スイッチ１０７は、外部機器１０４やカメラ本体１０１の各種操作を行うためのスイッチである。音声入力コネクタ１０８は、外部マイクが接続され、外部マイクで集音された音声信号は、カメラ本体１０１に伝送される。
【００１３】
また、外部機器１０４には、２つの信号ケーブル１０９ａ及び１０９ｂが接続されている。信号ケーブル１０９ａ及び１０９ｂは、外部機器１０４とカメラ本体１０１とを電気的に接続するためのケーブルである。信号ケーブル１０９ａの先端部には、Ｌプラグコネクタ１１０ａが設けられ、信号ケーブル１０９ｂの先端部には、Ｒプラグコネクタ１１０ｂが設けられている。
【００１４】
そして、Ｌプラグコネクタ１１０ａは、カメラ本体１０１に設けられたＬジャックコネクタ１１１ａ（図２参照）に電気的に接続される。また、Ｒプラグコネクタ１１０ｂは、カメラ本体１０１に設けられたＲジャックコネクタ１１１ｂ（図２参照）に電気的に接続される。
【００１５】
図２は、カメラ本体１０１におけるＬジャックコネクタ１１１ａ及びＲジャックコネクタ１１１ｂの配置部分の斜視図である。
【００１６】
図２に示すように、カメラ本体１０１には、Ｌプラグコネクタ１１０ａが接続されるＬジャックコネクタ１１１ａと、Ｒプラグコネクタ１１０ｂが接続されるＲジャックコネクタ１１１ｂとが設けられている。
【００１７】
Ｌジャックコネクタ１１１ａは、複数の端子穴１１２を有する雌型端子構造とされ、一方、Ｒジャックコネクタ１１１ｂは、複数の端子ピン１１３を有する雄型端子構造とされている。ここで、Ｌジャックコネクタ１１１ａは、本発明の第１のコネクタの一例に相当し、Ｒジャックコネクタ１１１ｂは、本発明の第２のコネクタの一例に相当する。
【００１８】
図３は、Ｌプラグコネクタ１１０ａとＲプラグコネクタ１１０ｂの詳細を示す斜視図である。
【００１９】
図３に示すように、Ｌプラグコネクタ１１０ａは、カメラ本体１０１のＬジャックコネクタ１１１ａの複数の端子穴１１２に対応する複数の端子ピン１２１を有する雄型端子構造とされている。
【００２０】
一方、Ｒプラグコネクタ１１０ｂは、カメラ本体１０１のＲジャックコネクタ１１１ｂの複数の端子ピン１１３に対応する複数の端子穴１２２を有する雌型端子構造とされている。ここで、Ｌプラグコネクタ１１０ａは、本発明の第１のプラグコネクタの一例に相当し、Ｒプラグコネクタ１１０ｂは、本発明の第２のプラグコネクタの一例に相当する。
【００２１】
そして、Ｌプラグコネクタ１１０ａの複数の端子ピン１２１をＬジャックコネクタ１１１ａの複数の端子穴１１２に挿入するとともに、Ｒプラグコネクタ１１０ｂの複数の端子穴１２２をＲジャックコネクタ１１１ｂの複数の端子ピン１１３に挿入する。これにより、外部機器１０４とカメラ本体１０１とが電気的に接続される。
【００２２】
なお、Ｌプラグコネクタ１１０ａには、Ｌジャックコネクタ１１１ａの不図示の凹部に位置決め嵌合されるリブ１２３が設けられ、Ｒプラグコネクタ１１０ｂには、Ｒジャックコネクタ１１１ｂの不図示の凹部に位置決め嵌合されるリブ１２４が設けられている。
【００２３】
図４は、カメラ本体１０１と外部機器１０４とを信号ケーブル１０９ａ，１０９ｂを介して接続した状態での電気系の構成例を示すブロック図である。
【００２４】
図４に示すように、外部機器１０４は、ＬＣＤパネル１０６、ＬＣＤ駆動回路１３２、ＲＯＭ１３４、操作スイッチ１０７、操作スイッチ制御部１３６、電源回路１３７、オーディオアンプ回路１３８、バックライト１３３、及び音声入力コネクタ１０８を備える。
【００２５】
ＬＣＤ駆動回路１３２は、カメラ本体１０１の制御部１４８から信号ケーブル１０９ａのＬＣＤ駆動回路用電線１４１を介して伝送された映像信号をＲＯＭ１３４に記憶されたＬＣＤ設定情報を基に制御して、ＬＣＤパネル１０６に表示する。バックライト１３３は、カメラ本体１０１の制御部１４８から信号ケーブル１０９ａのバックライト制御用配線１４０を介して伝送された制御信号に基づき、電源回路１３７から電源が供給され、発光が行われる。
【００２６】
ＲＯＭ１３４は、カメラ本体１０１の制御部１４８から信号ケーブル１０９ａのＲＯＭ用配線１４２を介して伝送されたＬＣＤ設定情報を記憶する。操作スイッチ制御部１３６は、操作スイッチ１０７の操作情報を信号ケーブル１０９ｂの操作スイッチ制御部用配線１４３を介してカメラ本体１０１の制御部１４９に伝送する。
【００２７】
電源回路１３７は、カメラ本体１０１の制御部１４９から信号ケーブル１０９ｂの電源回路用配線１４４を介して給電され、オーディオアンプ回路１３８、音声入力コネクタ１０８、ＬＣＤ駆動回路１３２及びバックライト１３３に電源を供給する。
【００２８】
オーディオアンプ回路１３８は、音声入力コネクタ１０８から音声信号を取得して増幅した後、信号ケーブル１０９ｂのオーディオアンプ回路用配線１４５を介してカメラ本体１０１の制御部１４９に音声信号を伝送する。
【００２９】
ところで、雄型端子であるＲジャックコネクタ１１１ｂと雄型端子であるＬプラグコネクタ１１０ａは、嵌合構造が同じであるため、Ｒジャックコネクタ１１１ｂにＬプラグコネクタ１１０ａを誤って挿入すると、異物混入等で電気的に接触する可能性がある。
【００３０】
そこで、本実施形態では、カメラ本体１０１の制御部１４８がＲＯＭ１３４に記憶されている所定のデータを読み込む処理を行うことで、Ｌプラグコネクタ１１０ａがＬジャックコネクタ１１１ａに正常に接続されているか否かを判断する。そして、Ｌプラグコネクタ１１０ａがＬジャックコネクタ１１１ａに正常に接続されていると制御部１４８が判断すると、制御部１４９が外部機器１０４の電源回路１３７に給電する。
【００３１】
図５は、カメラ本体１０１から外部機器１０４に給電する処理を説明するためのフローチャート図である。図５での処理は、カメラ本体１０１の不図示のＲＯＭ等に記憶されたプログラムが不図示のＲＡＭにロードされて、ＣＰＵ等から構成される制御部１４８，１４９により実行される。
【００３２】
ステップＳ１０１でカメラ本体１０１の電源がＯＮされると、制御部１４８は、ステップＳ１０２に進み、外部機器１０４のＲＯＭ１３４から信号ケーブル１０９ａのＲＯＭ用配線１４２を介して所定のデータの読み込み動作を開始し、ステップＳ１０３に進む。
【００３３】
ステップＳ１０３では、制御部１４８は、ＲＯＭ１３４から所定のデータの読み込みが行われた場合は、Ｌプラグコネクタ１１０ａがＬジャックコネクタ１１１ａに正常に接続されていると判断し、ステップＳ１０４に進む。また、制御部１４８は、ＲＯＭ１３４からデータの読み込みができない場合は、Ｌプラグコネクタ１１０ａがＬジャックコネクタ１１１ａに正常に接続されていないと判断して、ステップＳ１０２に戻る。
【００３４】
ステップＳ１０４では、制御部１４９は、Ｒプラグコネクタ１１０ｂがＲジャックコネクタ１１１ｂに正常に接続されているものと判断して、信号ケーブル１０９ｂの電源回路用配線１４４を介して外部機器１０４の電源回路１３７へ給電を開始し、処理を終了する。
【００３５】
以上説明したように、本実施形態では、カメラ本体１０１に設けられる２つのＬジャックコネクタ１１１ａ及びＲジャックコネクタ１１１ｂのうち、Ｌジャックコネクタ１１１ａを雌型端子構造し、Ｒジャックコネクタ１１１ｂを雄型端子構造としている。
【００３６】
このため、雄型端子構造のＬプラグコネクタ１１０ａ及び雌型端子構造のＲプラグコネクタ１１０ｂをカメラ本体１０１のコネクタに接続する際に、目視にて容易に接続対象であるカメラ本体１０１のコネクタを識別することができる。これにより、カメラ本体１０１に設けられた複数のコネクタ１１１ａ，１１１ｂに対して外部機器１０４側のコネクタを誤挿入するのを防止することができる。
【００３７】
また、本実施形態では、ＲＯＭ１３４から制御部１４８にデータを読み込むＲＯＭ用配線１４２にＬプラグコネクタ１１０ａが接続され、制御部１４９から電源回路１３７に給電する電源回路用配線１４４にＲプラグコネクタ１１０ｂが接続されている。
【００３８】
そして、制御部１４８は、ＲＯＭ１３４から所定のデータの読み込みが行われた場合は、Ｌプラグコネクタ１１０ａがＬジャックコネクタ１１１ａに正常に接続されていると判断し、制御部１４９から電源回路１３７に給電が行われる。すなわち、Ｌプラグコネクタ１１０ａ及びＲプラグコネクタ１１０ｂがそれぞれＬジャックコネクタ１１１ａ及びＲジャックコネクタ１１１ｂに正常に接続されない限り、制御部１４９から電源回路１３７に給電が行われないようになっている。
【００３９】
従って、Ｒジャックコネクタ１１１ｂにＬプラグコネクタ１１０ａを誤って挿入して異物混入等で電気的に接触しても、カメラ本体１０１から外部機器１０４の電源回路１３７に給電が行われることがなく、機器損傷等のトラブルを避ける事が可能となる。
【００４０】
なお、本発明の構成は、上記実施形態に例示したものに限定されるものではなく、本発明の要旨を逸脱しない範囲において適宜変更可能である。
【符号の説明】
【００４１】
１０１  カメラ本体
１０４  外部機器
１１０ａ  Ｌプラグコネクタ
１１０ｂ  Ｒプラグコネクタ
１１１ａ  Ｌジャックコネクタ
１１１ｂ  Ｒジャックコネクタ
１３４    ＲＯＭ
１３７  電源回路
１４８  制御部
１４９  制御部
【図４】
0005885466.tif 000002
【図５】
0005885466.tif 000003
【図１】
0005885466.tif 000004
【図２】
0005885466.tif 000005
【図３】
0005885466.tif 000006